(57)【要約】【課題】  給茶口に飛散防止壁を形成することにより給茶時の粉茶等の飛び散りをなくし、更には、給茶口を本体ケースより着脱自在に形成することにより給茶口の手入れを容易にする飲料用粉茶等排出器を提供すること。【解決手段】  本体ケースと、粉茶等を入れるためのホッパーと、該ホッパーの下方に設けられ粉茶等を送り出すためのスクリューと、該スクリューを回動する駆動手段と前記スクリューにより送り出された粉茶等を排出する給茶口とを有する飲料用粉茶等排出器において、前記給茶口は前記本体ケースの内外側に位置する一体の筒状部材からなり、外側に位置する筒状部材は粉茶等の排出口を形成し、内側に位置する筒状部材は粉茶等を前記排出口側に導く空気取入口であり、粉茶等の飛散防止壁を兼ねる飲料用粉茶等排出器。【選択図】        図２
2005245475.tif 000002
【特許請求の範囲】
【請求項１】
本体ケースと、粉茶等を入れるためのホッパーと、該ホッパーの下方に設けられ粉茶等を送り出すためのスクリューと、該スクリューを回動する駆動手段と前記スクリューにより送り出された粉茶等を排出する給茶口とを有する飲料用粉茶等排出器において、前記給茶口は前記本体ケースの内外側に位置する一体の筒状部材からなり、外側に位置する筒状部材は粉茶等の排出口を形成し、内側に位置する筒状部材は粉茶等を前記排出口側に導く空気取入口であり、粉茶等の飛散防止壁を兼ねることを特徴とする飲料用粉茶等排出器。
【請求項２】
前記給茶口の内側に位置する筒状部材の側壁には切欠きが形成され、該切欠きには前記スクリューの先端部が位置することを特徴とする請求項１記載の飲料用粉茶等排出器。
【請求項３】
前記給茶口の外側に位置する筒状部材は内外二重環状部構造であり、内環状部は排出口を形成し、外環状部は前記本体ケースの下方に形成される広口開口部に当接されることを特徴とする請求項１、２記載の飲料用粉茶等排出器。
【請求項４】
前記外環状部は前記広口開口部に着脱自在に係合されることを特徴とする請求項３記載の飲料用粉茶等排出器。
【請求項５】
前記外側に位置する筒状部材の内面に垂直方向の整流リブを設けることを特徴とする請求項１ないし４記載の飲料用粉茶等排出器。
【発明の詳細な説明】
【技術分野】
【０００１】
本願発明は飲料用粉茶等排出器に関し、特に給茶口での粉茶、コーヒー或いはココア等の飛び散りを防止等してなる飲料用粉茶等排出器に関するものである。
【背景技術】
【０００２】
近時、粉茶、コーヒー或いはココア等を所定の量だけコップ内に排出する飲料用粉茶等排出器が業務用は勿論のこと、一般家庭でも利用されるようになっている。
【０００３】
図１４にそのような飲料用粉茶等排出器の一例を示す。この飲料用粉茶等排出器ａは、給茶器Ｘに併設されるもので、ホッパーｂ、定量ドラムｃ、給茶口ｄ、蓋板ｅ及び茶葉入れｆ等からなり、予め粉茶等をホッパーｂ内に入れ所定のスイッチを押すと定量ドラムｃが回動し、所定量の粉茶等が給茶口ｄに落ちる。すると、その重みで蓋板ｅが開蓋し、給茶口ｄに落ちた所定量の粉茶等は給茶口ｄの下方に置かれた茶葉入れｆに供給される。
【０００４】
その後、貯湯タンクｊ内のお湯が給湯口ｇより茶葉入れｆ内に給湯され、お茶が作られるとともにそのお茶は茶葉入れｆの下方に置かれるコップｈに注がれる。使用済みの粉茶等は、茶葉入れｆを波線で示すように回動することにより、使用済み茶葉入れｉ内に捨てられる。このように飲料用粉茶等排出器ａは、簡単にお茶等を作ることができる利便性に優れたものである（特許文献１参照。）。
【０００５】
ところで、従来の飲料用粉茶等排出器ａは、給茶口ｄを絞ったり、或いは粉茶等の飛び散り防止手段を特に設けていないため、開蓋時に給茶口ｄから勢いよく排出される粉茶等の一部は茶葉入れｆ内に排出されずに周囲に飛散する恐れがあった。
【０００６】
また、飲料用粉茶等排出器ａは、粉茶等が給茶口ｄ付近に付着することがあるが、給茶口ｄはホッパーｂと一体であるため、その手入れが非常に面倒であった。
【特許文献１】特開平１１−１６９２９５号公報
【発明の開示】
【発明が解決しようとする課題】
【０００７】
本願発明の目的は、飲料用粉茶等排出器の前記した問題を解決するもので、詳細には、給茶口に飛散防止壁を形成することにより給茶時の粉茶等の飛び散りをなくし、更には、給茶口を本体ケースより着脱自在に形成することにより給茶口の手入れを容易にする飲料用粉茶等排出器を提供することである。
【課題を解決するための手段】
【０００８】
上記目的を達成するため、本願発明は以下の構成を採用する。
【０００９】
請求項１に係る発明では、本体ケースと、粉茶等を入れるためのホッパーと、該ホッパーの下方に設けられ粉茶等を送り出すためのスクリューと、該スクリューを回動する駆動手段と前記スクリューにより送り出された粉茶等を排出する給茶口とを有する飲料用粉茶等排出器において、前記給茶口は前記本体ケースの内外側に位置する一体の筒状部材からなり、外側に位置する筒状部材は粉茶等の排出口を形成し、内側に位置する筒状部材は粉茶等を前記排出口側に導く空気取入口であり、粉茶等の飛散防止壁を兼ねる構成。
【００１０】
そしてこのような構成により、給茶口より排出される粉茶等は、空気取入口から取り入れられる空気とともに排出され、その排出が良好になる。また、飛散防止壁により排出される粉茶等の飛び散りが低減する。
【００１１】
請求項２に係る発明では、前記給茶口の内側に位置する筒状部材の側壁には切欠きが形成され、該切欠きには前記スクリューの先端部が位置する構成。そしてこのような構成により、スクリューの先端部を筒状部材の飛散防止壁近傍に配置することができるため、粉茶等の飛び散りがより低減する。
【００１２】
請求項３に係る発明では、前記給茶口の外側に位置する筒状部材は内外二重環状部構造であり、内環状部は排出口を形成し、外環状部は前記本体ケースの下方に形成される広口開口部に当接される構成。そしてこのような構成により、内環状部から粉茶等の排出は支障なく行われ、また、外環状部が当接する本体ケースの下方に形成される開口部は広口に形成されるため、給茶口の取り付けが容易になり、例え、何らかの理由により給茶口が取り付けられていなかったとしても粉茶等の排出に何ら支障はない。
【００１３】
請求項４に係る発明では、前記外環状部は前記広口開口部に着脱自在に係合される構成。そしてこのような構成により、給茶口の着脱が容易になり、給茶口の洗浄等の手入れが容易になる。
【００１４】
請求項５に係る発明では、前記外側に位置する筒状部材の内面に垂直方向の整流リブを設ける構成。そしてこのような構成により、整流リブがない場合、スクリューの先端部から落下した粉茶等に回転力が働き、給茶口先端から排出される際に遠心力で飛散するところ、そのような飛散がなくなる。
【発明の効果】
【００１５】
請求項１に係る発明では、給茶口を本体ケースの内外側に位置する一体の筒状部材から形成し、外側に位置する筒状部材を粉茶等の排出口とし、内側に位置する筒状部材を粉茶等を排出口側に導く空気取入口とするとともに、粉茶等の飛散防止壁を兼用させることにより、給茶口より排出される粉茶等は、空気取入口から取り入れられる空気とともに排出されるためその排出を良好に行うことができ、且つ飛散防止壁により排出される粉茶等の周囲への飛び散りを低減することができる。その結果、飲料用粉茶等排出器の利便性を向上させることができる。
【００１６】
請求項２に係る発明では、給茶口の内側に位置する筒状部材の側壁に切欠きを設け、該切欠きにスクリューの先端部を位置させることにより、請求項１に係る発明の効果に加え、スクリューの先端部を筒状部材の飛散防止壁近傍により近づけることができるため、粉茶等の飛び散りをより低減することができる。
【００１７】
請求項３に係る発明では、給茶口の外側に位置する筒状部材を内外二重環状部構造に形成し、内環状部を排出口とし、外環状部を本体ケースの下方に形成される広口開口部に当接することにより、請求項１、２に係る発明の効果に加え、内環状部から粉茶等の排出を支障なく行うことができるとともに、外環状部が当接する本体ケースの下方に形成される開口部は広口に形成されるため、給茶口の取り付けを容易に行うことができる。また、例え、何らかの理由により給茶口が取り付けられなかったとしても粉茶等の排出を何ら支障なく行うことができる。
【００１８】
請求項４に係る発明では、外環状部を広口開口部に着脱自在に係合することにより、請求項３に係る発明の効果に加え、給茶口の着脱を容易に行うことができ、給茶口の洗浄等の手入れを簡単且つ容易に行うことができるため、飲料用粉茶等排出器の利便性をより向上させることができる。
【００１９】
請求項５に係る発明では、外側に位置する筒状部材の内面に垂直方向の整流リブを設けることにより、請求項１ないし４に係る発明の効果に加え、給茶口先端から排出される粉茶等に遠心力が発生する弊害を極力低減できるため、粉茶等の飛散をより低減することができる。
【実施例１】
【００２０】
図１に飲料用粉茶等排出器の正面図を、図２に図１のＡ−Ａ線断面図を、図３に斜め上方から見た本体ケースの斜視図を、図４に斜め下方から見た下口部材の斜視図を、図５に斜め上方から見たホッパーユニットの斜視図を、図６に斜め上方から見た給茶口の斜視図を、図７に斜め下方から見た給茶口の斜視図をそれぞれ示す。なお、本願の飲料用粉茶等排出器は、それ単体のものでもよいが、以下においては電気ポットと一体に形成したものを示す。また、その方向を、図１で見てその左右方向側をそれぞれ左方向及び右方向と呼び、図１の紙面の前方側を前方と呼びその反対の後方側を後方と呼ぶ。
【００２１】
本機器は、図１で示すように飲料用粉茶等排出器１と電気ポット２とを一体に形成したもので、Ｘの領域は飲料用粉茶等排出器１を示し、Ｙの領域は電気ポット２を示す。そして、飲料用粉茶等排出器１及び電気ポット２とも大きく分けて本体ケース３と下口部材４とからなるとともに、両部材３、４もそれぞれ一体に形成される。
【００２２】
前記本体ケース３は、図３に示すように、上方が開口した樹脂製の部材であり、電気ポット領域Ｙには、図示しない真空二重構造等からなる内容器並びにヒータ等が挿入配置されるとともに、その前方側には窪み５及び水量視認用窓６が形成され、その上方には給湯口８が取り付けられる前方突出部７が形成される。
【００２３】
本体ケース３の前記排出器領域Ｘには、後記のポッパーユニット３０が挿入配置されるとともに、その前方側下方は大きく窪んだコップ載置用空間９が形成され、そのコップ載置用空間９の上方には広口の給茶口取付開口３ａが設けられる。該広口の給茶口取付開口３ａの周囲には段部３ｂが形成され、更に段部３ｂの内側には給茶口取付開口３ａに沿って上方へ突出される立設壁３ｃが形成されており、給茶口取付開口３ａに後記の給茶口６０が着脱自在に取り付けられる。
【００２４】
前記下口部材４は、前記本体ケース３の上方に載置される樹脂製部材であり、その下方から見た形状を図４に示す。図に示すように、電気ポット領域Ｙには、図示しない内容器が取り付けられる環状部材１０及び前方突出部１１が形成され、下口部材４が本体ケース３に嵌合された際には、該前方突出部１１は本体ケース３に形成される前方突出部７と一体的に重ね合わされる。
【００２５】
また、排出器領域Ｘには、後記のポッパーユニット３０が挿入配置される箱状部材１２が上方より下方に垂下される形態で下口部材４と一体に形成される。該箱状部材１２は、上方が開口し、平面視矩形状の部材でその底壁にはギヤ係合口１３が開口するとともに、複数個のビス取付用ボス１４が一体に形成される。更に、前方側の側壁の下部には側壁から底壁に亘って切り取られてなる所定の高さを有するスクリュー用窓１５が形成されており、箱状部材１２内に後記のポッパーユニット３０が挿入配置されるとポッパーユニット３０の下部に取り付けられるスクリュー４０の先端がこのスクリュー用窓１５から顔を出す形態で位置する。
【００２６】
そして、前記箱状部材１２の底部に一体に形成される前記ビス取付用ボス１４には、図２に示すように略Ｌ字状の金属製の取付部材１６の一辺１６ａがビス１７により取り付けられる。取付部材１６の他の辺１６ｂには、後記のスクリュー４０を回動する駆動手段であるモータ１８が取り付けられ、該モータ１８の駆動軸１９は、取付部材１６の他の辺１６ｂの反対側まで延伸されるとともに、その延伸先端部には円形の駆動ギヤ２０が取り付けられる。
【００２７】
箱状部材１２の底部に取付部材１６が取り付けられた状態では、前記駆動ギヤ２０の上端は、前記箱状部材１２の底部に一体に形成されるギヤ係合口１３内に侵入し、箱状部材１２内に後記のポッパーユニット３０が挿入された際には、スクリュー４０の先端に取り付けられる被駆動ギヤ４３が該駆動ギヤ２０に直接係合する。
【００２８】
符号３０は、前記箱状部材１２内に着脱自在に収納配置されるポッパーユニットであり、該ポッパーユニット３０は、上方のホッパー部３１と下方のスクリュー収納部３２と底部のスタンド３３とを有する、各部材を一体に成形してなる樹脂製部材である。
【００２９】
ホッパー部３１は、上方に矩形状の開口３４を有し、その下方は絞られ断面テーパー状を呈し、その開口３４の外周側面には外方へ水平に張り出した鍔３５が全周に亘って形成されている。該鍔３５の内、前方側の鍔３５ａは幅広とされその一部に下方に凹んだ凹部３６が形成されており、ポッパーユニット３０を前記箱状部材１２内に収納したり取り出す時には、凹部３６に指を入れこの凹部３６とホッパー部３１の上端とを指で掴んで持ち上げることにより行う。
【００３０】
前記スクリュー収納部３２は、ホッパー部３１の下端部に一体に形成される部材であり、その上方には図２にその横断面を示すように平面視細長い矩形状の開口部３７を介してホッパー部３１と連通しており、ホッパー部３１内に入れられる粉茶等は該細長い矩形状の開口部３７を介してスクリュー収納部３２内に導入される。
【００３１】
また、スクリュー収納部３２は、断面円形の水平方向に細長い形状を呈し、その内部には図２に示すように螺旋状の右螺子形状からなる羽根４１を有するスクリュー４０が収納される。スクリュー収納部３２の図２において右側になる後方端４４には軸受４２が取り付けられスクリュー４０の後端部は該軸受４２に片持ち支持の形態で軸支される。軸受４２に軸支されるスクリュー４０の端部は更に後方に延設され、その延設端には被駆動ギヤ４３が取り付けられる。
【００３２】
スクリュー収納部３２の前方端４５には、開口部４６が形成され、該開口部４６にはスクリュー４０の先端部が位置している。また、スクリュー収納部３２の前方端４５には、該前方端４５の上方に取り付けられるヒンジ部４８を介して回動自在とされる蓋部材４７が配置される。該蓋部材４７には、上方に突き出る形態でレバー４９が一体に形成されている。
【００３３】
そして、該レバー４９を図２で破線で示す前記箱状部材１２の側壁外周部に取り付けられるソレノイド５０で押圧することにより、図２でＡで示す開放位置にレバー４９及び蓋部材４７をヒンジ部４８を介して回動させることにより開蓋し、その押圧が解除されると自重によりＢで示す閉鎖位置にレバー４９及び蓋部材４７が回動され閉蓋する。そして、飲料用粉茶等排出器１を作動させるための図示しないスイッチが入れられると、スクリュー４０が回動され、ソレノイド５０がレバー４９を押圧し、蓋部材４７を開放する。
【００３４】
また、前記ホッパー部３１内には、棒状のバネ材５１が基端収納部５２にその基端部を収納する形態で取り付けられるとともに、バネ材５１の２本の先端部５３、５３はそれぞれスクリュー４０の羽根４１間に当接される。そのため、スクリュー４０が回動すると該バネ材５１の２本の先端部５３、５３は羽根４１間に係合された状態で前方へ押されるため、バネ材５１は全体を湾曲しつつ前方側に移動される。そして、やがて羽根４１間との係合は解除され元の状態に復元され新たな羽根４１間に当接される。
【００３５】
このバネ材５１がないとホッパー部３１内に入れられた粉茶等は、その中央部が先に排出され外周部が残るという所謂アリ地獄形状になり易い。しかしながら、このようなバネ材５１を設けることにより、バネ材５１が揺動的な動作を繰り返し、バネ材５１の先端部５３、５３がホッパー部３１内の粉茶等をかき混ぜその全体を平坦化するため、そのような弊害が防止される。
【００３６】
前記スタンド３３は、横断面矩形状の水平な板体で、ポッパーユニット３０を下口部材４の箱状部材１２より取り出し、水平なテーブル等に置く場合の支持台として使われる。
【００３７】
ポッパーユニット３０を箱状部材１２内に収納すると、ホッパー部３１の上部外周側面に形成される鍔３５の下端面が箱状部材１２の上端部１２ａに係合する形態で支持され、それとともにスクリュー４０の後端部に取り付けられる被駆動ギヤ４３は、ギヤ係合口１３内にその上方先端が侵入して取り付けられる駆動ギヤ２０と係合する。この場合、前記スタンド３３の底面は箱状部材１２の上面より上方に離れた位置にある。
【００３８】
本願発明の給茶口６０について説明する。図２に組み付けた状態の断面図を示し、図６に斜め上方から見た単体の斜視図を示し、図７に斜め下方から見た単体の斜視図を示す。
【００３９】
給茶口６０は、粉茶等の排出口となるノズル部６１、該ノズル部６１を包囲する形態の袴部６２及びノズル部６１とは反対側に延設される内側環状部６３からなる樹脂製の部材であり、全体の形態は、図６に示すように略椅子形状を呈する。
【００４０】
前記ノズル部６１は、内側環状部６３の下方に垂下する形態の筒状部材であり、図２に示すように上方から最下端の先端開口部６４に向かって絞られており、先端開口部６４から排出される粉茶等の周囲への飛散を極力低減する。
【００４１】
前記袴部６２は、ノズル部６１を包囲する形態で形成される筒状部材でノズル部６１との間には、図２に示すように断面Ｕ字形の凹嵌部６５が形成され、内環状部であるノズル部６１と外環状部である袴部６２とで内外二重環状構造を形成している。そして前記凹嵌部６５は、給茶口６０の着脱を行うときに指でノズル部６１を掴む空間部として利用される。
【００４２】
この袴部６２は、ほぼ垂直に延びる垂直壁部６６及び該垂直壁部６６の下端に外周方向に水平に張り出したフランジ部６６ａからなる。垂直壁部６６は、上方より下方の径が小さい絞り形状とされ、給茶口６０の取り付けを良好にする。また垂直壁部６６の上端外周上には図６に示すように前方に１個後方に２個の計３個の係止片６７が水平方向に張り出す形態で一体に形成される。そして、給茶口６０が本体ケース３のコップ載置用空間９の上方に形成される広口の給茶口取付開口３ａに取り付けられる際、袴部６２の垂直壁部６６は、給茶口取付開口３ａの内側に形成される立設壁３ｃに当接した状態で挿入され、更に、フランジ部６６ａは、給茶口取付開口３ａに形成される段部３ｂに当接されるとともに、３個の係止片６７は給茶口取付開口３ａの立設壁３ｃの上端部に係止される。
【００４３】
前記内側環状部６３は、図２に示すように左側の前方に前方壁部６８を有し、その反対の後方には切欠き６９を有し、更に前方壁部６８と切欠き６９との間の対向する箇所には切欠き段部７０を有する全体として上方と後方側部が開口してなる筒状部材である。そして給茶口６０が取り付けられた状態では、前方壁部６８は、箱状部材１２の前方下端に設けられるスクリュー用窓１５を囲むように間をおいて位置され、ポッパーユニット３０のスクリュー収納部３２の前方端４５、即ち、スクリュー４０の先端部は、切欠き６９より内側環状部６３内に侵入し、スクリュー４０の先端部は、前方壁部６８に対向する。
【００４４】
このように、前方壁部６８は、スクリュー４０の先端部に対向して配置されるため、スクリュー４０の先端部より押し出される粉茶等の飛び散りを防止する飛散防止壁としての機能を有し、且つその上端は上方開口７１として上方に開放されているため、粉茶等がスクリュー４０の先端部より押し出されノズル部６１に排出される際、上方開口７１より黒塗りの矢印の方向に空気を導く空気取入口としての機能をも奏し、粉茶等の排出をより良好にする。
【００４５】
給茶口６０の取り付けは次のように行われる。即ち、給茶口６０は、本体ケース３のコップ載置用空間９の上方に形成される広口の給茶口取付開口３ａに対して、ノズル部６１を下にし、且つノズル部６１の外周を指で掴みながら下方から挿入する。そして、袴部６２の垂直壁部６６の外周面を給茶口取付開口３ａの内側に形成される立設壁３ｃの内周面に沿って押し上げる。
【００４６】
すると、フランジ部６６ａの上面は、給茶口取付開口３ａに形成される段部３ｂの下面に当接される。フランジ部６６ａと段部３ｂとが当接すると、３個の係止片６７は、給茶口取付開口３ａの立設壁３ｃの上端部より上に押し上げられる。この場合、垂直壁部６６は上方より下方の径が小さい絞り形状とされているため３個の係止片６７は外方へ広がり、立設壁３ｃの上端部に係止され、その取り付けが完了する。３個の係止片６７と立設壁３ｃの上端部との係合は、給茶口６０のノズル部６１の外周を指で掴み引き下げることにより容易に離脱可能な強さに設定されており、給茶口６０の取り外しも容易に行うことができる。その結果、給茶口６０の手入れが容易になる。
【００４７】
取り付け後においては、ノズル部６１の先端開口部６４は本体ケース３より下方に突出し、前記袴部６２もその内周面は本体ケース３の外側に位置する。そして、内側環状部６３は、完全に本体ケース３の内側に位置することになる。また、前方壁部６８の上端である上方開口７１は、スクリュー４０の先端部に取り付けられる蓋部材４７より上方に位置する。
【００４８】
なお、給茶口６０は給茶口取付開口３ａに取り付けられて使用されるが、例え取り付け忘れたとしても給茶口取付開口３ａは、ノズル部６１の外径より大きい袴部６２の外径に合わせて作られる広口にされているため、スクリュー４０の先端部から押し出される粉茶等の排出を格別の支障なく行うことができる。
【００４９】
粉茶等の排出について説明すると、ホッパー部３１内に粉茶等を入れ、図示しない駆動スイッチを入れると、ソレノイド５０が作動しレバー４９を押し蓋部材４７を開放するとともに、モータ１８が駆動し駆動ギヤ２０及び被駆動ギヤ４３を介してスクリュー４０を時計方向へ回動する。すると、粉茶等はスクリュー４０の先端部方向へ押し出され、その先端から給茶口６０のノズル部６１に落下し、ノズル部６１でその広がりを絞られその先端開口部６４からその下に載置されるコップ内に排出される。
【００５０】
この時、スクリュー４０の先端部から押し出された粉茶等は、前方壁部６８により本体ケース３内への飛散が防止され、且つ粉茶等の排出時、上方開口７１より空気を導入し粉茶等の排出を良好にする。また、ホッパー部３１内に取り付けられるバネ材５１の揺動運動により、ホッパー部３１内の粉茶等を平坦化する。
【実施例２】
【００５１】
図８、図９に他の実施例を示す。この例のものは、蒸気等が内部に侵入しないように給茶口のノズル部に弁機構を設けるもので、図８に閉弁時の状態を示し、図９に開弁時の状態を示す。なお、図では給茶口のノズル部のみを簡略化して示すがその他の構成は実施例１のものと同じであり、詳細な説明は省略する。
【００５２】
給茶口６０は、本体ケース３の給茶口取付開口３ａに取り付けられ、そのノズル部６１は実施例１と同様に本体ケース３の下方へ垂下される。このノズル部６１の下端には切り溝８０が設けられるとともに、その上端には軸７９が取り付けられる。そして、該軸７９には、弁部材７５が軸支される。
【００５３】
弁部材７５は、弁体７６及び弁支持部７７からなるＳＵＳ等の金属或いは薄肉の樹脂製の板状部材であり、そのほぼ中央を軸７９に軸支され且つ回動自在に取り付けられる。そして、前記弁体７６は円盤状の部材であり、ノズル部６１内に位置し、該ノズル部６１を開閉する。
【００５４】
また、前記弁支持部７７は、細板状部材であり、その先端には重り７８が取り付けられ、且つその重り７８の重さは、粉茶等が排出されない通常時では、図８に示すように、弁体７６がノズル部６１内を閉鎖する水平位置に保持し、弁体７６の上部に粉茶等が排出されたときには図９に示すように直ちに開放されるように設定される。
【００５５】
なお、弁体７６の解放時には、図９に示すように弁体７６の先端は、ノズル部６１の先端開口部６４より上方に位置している。このような位置関係にすることにより、弁体７６の解放時にノズル部６１から排出される粉茶等が周囲に飛び散ることを低減することができる。そして、仮に弁体７６の上部に粉茶等がこびりつき弁体７６が常に開放状態になったとしても粉茶等の排出に支障はない。
【００５６】
この実施例のもののようにノズル部６１の先端に弁部材７５を取り付けることにより、粉茶等を入れようとしてお湯を入れたコップを給茶口６０の下に持ってきたときに、お湯の蒸気が給茶口６０内に侵入するのを防止することができる。
【実施例３】
【００５７】
図１０に更に他の実施例を示す。この例のものは、外側の筒状部材の外環状先端を内環状先端より下方に位置させるものである。なお、図では給茶口等を簡略化して示すがその他の構成は実施例１のものと同じであり、詳細な説明は省略する。
【００５８】
給茶口６０は、本体ケース３の給茶口取付開口３ａに取り付けられる。この給茶口６０の給茶口取付開口３ａから下方へ突出する部分は、ノズル部を形成する内側の筒状部材である内環状部材８５と、該内環状部材８５を包囲する外側の筒状部材である外環状部材８７とからなる。
【００５９】
内環状部材８５は、下方へ絞られる実施例１のものと同じものであり、スクリュー４０より送り出される粉茶等は該内環状部材８５により絞られ、周囲へ飛び散ることなく先端開口部８６より排出される。また、外環状部材８７は、内環状部材８５を完全に包囲する形態で下方に垂下され、その先端８８は、内環状部材８５の先端開口部８６よりも下方に位置する。
【００６０】
そのため、粉茶等の排出時に給茶口６０近傍で風の流れがあったとしても、外環状部材８７の先端８８が外気流を遮断するため内環状部材８５の先端開口部８６から排出される粉茶等の飛散を防止することができる。また、内環状部材８５の先端開口部８６には粉茶等が付着しやすいが、該先端開口部８６は外環状部材８７により遮蔽されて見えないため見てくれがよくなり、更にデザイン的にもすっきりしたものになる。
【実施例４】
【００６１】
図１１に更に他の実施例を示し、図（Ａ）にその概略断面を、図（Ｂ）に図（Ａ）のＢ−Ｂ線断面を示す。この例のものは、スクリューの先端に取り付けられる蓋部材の変形例に関するものである。なお、図では蓋部材以外のものを簡略化して示すがその他の構成は実施例１のものと同じであり、詳細な説明は省略する。
【００６２】
スクリュー４０を回転自在に配置するスクリュー収納部３２の前方側先端９５は前方へ延設され、その先端開口９６は、真下より更に大きな角度、即ち、実施例１のものより９０度より若干大きい角度曲げられており、その結果、先端開口９６は、前方端より後方端が高い位置を占める全体としては右肩上がりの傾斜面とされる。
【００６３】
そして、スクリュー収納部３２は、スクリュー４０が収納される水平な部分と前方側先端９５の垂直な部分とを有するとともに、その両部分の境目の底部内面には、図に示すような突起壁９７が設けられる。この突起壁９７を設けることにより、スクリュー４０の駆動時、この突起壁９７を越えた粉茶等が排出されるため、排出時の粉茶等のばらつきがなくなる。また、スクリュー４０の非駆動時の粉茶等のこぼれを防止することができる。
【００６４】
符号９０は、蓋部材であり、前記スクリュー収納部３２の先端開口９６を開閉蓋する。該蓋部材９０は、後方側が閉鎖されるＬ字状の弁体９１と、該弁体９１の後方上端に一体に形成されるレバー９２と、弁体９１とレバー９２との間に介在されるヒンジ部９３とからなる。レバー９２とヒンジ部９３とは、実施例１のものと同様なもので、レバー９２は、図示しないソレノイドにより押圧され、ヒンジ部９３を中心に前記弁体９１を図で示すＢの閉蓋時の位置よりＡの開蓋時の位置にまで回動させる。
【００６５】
弁体９１は、図（Ｂ）に示すように矩形状の板体部材であり、その両側面には、リブ９１ａが立設されるとともに、その前方側９４は平坦面とされる。そのため、弁体９１がＢの位置にある閉蓋時には、弁体９１の前方端９４は最高位置を占めるとともに、弁体９１の両側面にはリブ９１ａが設けられ、その後方は壁面になっているため、例え弁体９１上に粉茶等が落下したとしても、粉茶等は弁体９１上に保持され、落下することはない。
【００６６】
そして、弁体９１がＡの位置になる開蓋時には、平坦面の前方端９４が最下位置になるため、スクリュー４０により押し出され弁体９１上に落下した粉茶等は、飛散することなく前方端９４より滑り落ち図示しない給茶口より排出される。
【００６７】
このようにこの実施例のものでは、スムーズに粉出しを行うことができるとともに、粉こぼれをより少なくすることができる。なお、弁体９１の形状は、前方端９４に平坦面を持つものであればどのような形状のものでもよい。
【実施例５】
【００６８】
図１２に更に他の実施例を示し、図（Ａ）にその概略断面を、図（Ｂ）に図（Ａ）のＣ−Ｃ線断面を、図（Ｃ）に従来のものを示す。この例のものは、給茶口の変形例に関するものである。なお、図では給茶口の外側に位置する筒状部材を簡略化して示すがその他の構成は実施例１のものと同じであり、詳細な説明は省略する。
【００６９】
この例のものは、給茶口６０の外側に位置する筒状部材であるノズル部６１の内面に垂直方向の複数の整流リブ９８を設けるものである。この実施例では、ノズル部６１の内面に先端開口部６４にまで延設する４本の垂直方向の整流リブ９８を設けるものを開示しているが、本数はこれに限ることなく１本以上であればよい。
【００７０】
図（Ｃ）に従来のものを示すように、整流リブ９８がないとスクリューの先端から落下する粉茶等は、ノズル部６１内で（ハ）で示すように乱流状態となり、先端開口部６４より排出される際に粉茶等に回転力が作用し、粉茶等が（ニ）で示すように周囲に飛散するする恐れがあった。
【００７１】
しかしながら、図（Ａ）、図（Ｂ）に示すように、ノズル部６１の内面に垂直方向の整流リブ９８を設けることにより、ノズル部６１内で（イ）で示すように乱流状態となっている粉茶等は、整流リブ９８により整流され、（ロ）で示すように周囲に飛散することなく排出される。
【実施例６】
【００７２】
図１３に更に他の実施例を示し、図（Ａ）に好ましい例の概略断面を、図（Ｂ）に好ましくない例のものを示す。この例のものは、給茶口の変形例に関するものである。なお、図では給茶口の外側に位置する筒状部材を簡略化して示すがその他の構成は実施例１のものと同じであり、詳細な説明は省略する。
【００７３】
この例のものは、給茶口６０の外側に位置する筒状部材であるノズル部６１の内面が形成する角度を所定以下にするものである。即ち、ノズル部６１の内面が形成する角度Ｒが広いと図（Ｂ）に示すようにノズル部６１の先端開口部６４より排出される粉茶等は、先端開口部６４に近い位置で交差し、その後周囲に広がる形態になり粉茶等が周囲に飛散することになる。
【００７４】
この実施例は、ノズル部６１の内面が形成する角度Ｒを３０度以内にしたものである。この角度であると、ノズル部６１の先端開口部６４より排出される粉茶等は、先端開口部６４より遠い位置で交差し、その後あまり周囲に広がらない形態になり粉茶等が周囲に飛散することは低減される。
【００７５】
本願発明は、上記各実施の態様の構成に限定されるものではなく、発明の要旨を逸脱しない範囲において適宜設計変更可能であることは勿論である。
【図面の簡単な説明】
【００７６】
【図１】本願発明の飲料用粉茶等排出器の正面図
【図２】図１のＡ−Ａ断面図
【図３】本願発明の本体ケースを斜め上方から見た斜視図
【図４】本願発明の下口部材を斜め下方から見た斜視図
【図５】本願発明のホッパーユニットを斜め上方から見た斜視図
【図６】本願発明の給茶口を斜め上方から見た斜視図
【図７】本願発明の給茶口を斜め下方から見た斜視図
【図８】本願発明の給茶口の他の実施例の閉蓋時の状態を示す概略断面図
【図９】本願発明の給茶口の他の実施例の開蓋時の状態を示す概略断面図
【図１０】本願発明の給茶口の更に他の実施例を示す概略断面図
【図１１】本願発明の給茶口の更に他の実施例を示す概略断面図
【図１２】本願発明の給茶口の更に他の実施例を示す概略断面図
【図１３】本願発明の給茶口の更に他の実施例を示す概略断面図
【図１４】従来の飲料用粉茶等排出器の概略図
【符号の説明】
【００７７】
１…飲料用粉茶等排出器    ２…電気ポット
３…本体ケース            ３ａ…給茶口取付開口
３ｂ…段部                ３ｃ…立設壁
４…下口部材              ５…窪み
６…水量視認用窓          ７，１１…前方突出部
８…給湯口                ９…コップ載置用空間
１０…環状部材            １２…箱状部材
１３…ギヤ係合口          １４…ビス取付用ボス
１５…スクリュー用窓      １６…取付部材
１７…ビス                １８…モータ
１９…駆動軸              ２０…駆動ギヤ
３０…ポッパーユニット    ３１…ホッパー部
３２…スクリュー収納部    ３３…スタンド
３４…開口                ３５…鍔
３６…凹部                ３７，４６…開口部
４０…スクリュー          ４１…羽根
４２…軸受                ４３…被駆動ギヤ
４４…後方端              ４５…前方端
４７，９０…蓋部材        ４８，９３…ヒンジ部
４９，９２…レバー        ５０…ソレノイド
５１…バネ材              ５２…基端収納部
５３…先端部              ６０…給茶口
６１…ノズル部            ６２…袴部
６３…内側環状部          ６４，８６…先端開口部
６５…凹嵌部              ６６…垂直壁部
６６ａ…フランジ部        ６７…係止片
６８…前方壁部            ６９…切欠き
７０…切欠き段部          ７１…上方開口
７５…弁部材              ７６，９１…弁体
７７…弁支持部            ７８…重り
７９…軸                  ８０…切り溝
８５…内環状部材          ８７…外環状部材
９１ａ…リブ              ９５…前方側先端
９６…先端開口            ９７…突起壁
９８…整流リブ
【図１】
2005245475.tif 000003
【図２】
2005245475.tif 000004
【図３】
2005245475.tif 000005
【図４】
2005245475.tif 000006
【図５】
2005245475.tif 000007
【図６】
2005245475.tif 000008
【図７】
2005245475.tif 000009
【図８】
2005245475.tif 000010
【図９】
2005245475.tif 000011
【図１０】
2005245475.tif 000012
【図１１】
2005245475.tif 000013
【図１２】
2005245475.tif 000014
【図１３】
2005245475.tif 000015
【図１４】
2005245475.tif 000016